(57)【要約】      （修正有）【課題】操作性に優れたカメラを提供する。【解決手段】ユーザーによって特定され撮像処理の際に用いられる所定の撮像処理条件と、少なくとも前記所定の撮像処理条件を表示する第一液晶表示部３０と、第一液晶表示部３０とは異なる位置に配置された第二液晶表示部２１と、前記所定の撮像処理条件を変更する際に用いられる操作部（２５〜２９）と、前記操作部の操作に応じて前記所定の撮像処理条件を変更する制御部１１とを持つカメラにおいて、制御部１１は、第一液晶表示部３０に表示されている前記所定の撮像処理条件が第二液晶表示部２１に表示されていない状態で前記操作部が操作されると、前記所定の撮像処理条件を第二液晶表示部２１に表示する。【選択図】図３
2006018057.tif 000002
【特許請求の範囲】
【請求項１】
ユーザーによって特定され撮像処理の際に用いられる所定の撮像処理条件と、
少なくとも前記所定の撮像処理条件を表示する第一液晶表示部と、
前記第一液晶表示部とは異なる位置に配置された第二液晶表示部と、
前記所定の撮像処理条件を変更する際に用いられる操作部と、
前記操作部の操作に応じて前記所定の撮像処理条件を変更する制御部とを持つカメラにおいて、
前記制御部は、前記第一液晶表示部に表示されている前記所定の撮像処理条件が前記第二液晶表示部に表示されていない状態で前記操作部が操作されると、前記所定の撮像処理条件を前記第二液晶表示部に表示することを特徴とするカメラ。
【請求項２】
請求項１に記載のカメラにおいて、前記第二液晶表示部が前記第一液晶表示部より表示部面積が広いことを特徴とするカメラ。
【請求項３】
請求項１又は２に記載のカメラにおいて、前記第二液晶表示部の表示面が、前記第一液晶表示部の表示面とは異なる角度で配置されることを特徴とするカメラ。
【請求項４】
請求項１乃至３に記載のカメラはさらに前記操作部とは異なる第二操作部を持ち、前記制御部は、前記第二液晶表示部に前記所定の撮像処理条件が表示されている際に前記第二操作部が操作されることにより前記第二液晶表示部に表示されている該所定の撮像処理条件を非表示にすることを特徴とするカメラ。
【請求項５】
請求項１乃至４に記載のカメラにおいて、前記制御部は、前記第二液晶表示部に前記所定の撮像処理条件表示が表示されている際に前記操作部が操作されずに所定時間経過すると前記第二液晶表示部に表示されている該所定の撮像処理条件表示を非表示にすることを特徴とするカメラ。
【請求項６】
請求項１乃至５に記載のカメラにおいて、前記制御部は、前記第一液晶表示部に表示されている前記所定の撮像処理条件が前記第二液晶に表示されていない状態で前記操作部が操作されると、前記所定の撮像処理条件を前記第一液晶表示部に表示したまま前記第二液晶表示部にも表示することを特徴とするカメラ。
【請求項７】
請求項１乃至６に記載のカメラにおいて、前記所定の撮像処理条件は、複数点存在する焦点検出領域の位置であることを特徴とするカメラ。
【発明の詳細な説明】
【技術分野】
【０００１】
本発明は、複数の液晶表示部を具備するカメラに関する。
【背景技術】
【０００２】
従来より、ユーザーが設定する焦点検出領域の設定やシャッタースピード値、絞り値、露出補正値、ホワイトバランス設定などの撮像処理条件をカメラ上面に配置された液晶表示部やファインダ内のファインダ液晶表示部に表示するものがある。ユーザーはファインダや上面の液晶表示部に表示された撮像処理条件を適宜変更しながら撮影を行う（例えば特許文献１）。
【特許文献１】特開平２０００−７５３９２
【発明の開示】
【発明が解決しようとする課題】
【０００３】
しかし、上記従来のカメラでは撮影処理条件を確認する場合、ファインダ液晶表示部に表示された撮像処理条件を確認するには該ファインダ表示部を接眼ファインダから覗かなくてはならず、また上面に配置された液晶表示部に表示された撮像処理条件を確認する場合も、上面液晶は表示部面積が狭く、さらに多くの撮像処理条件が表示されている場合が多いため優れた視認性を得ることが難しい。
【０００４】
本発明は、操作性に優れたカメラを提供することを目的とする。
【課題を解決するための手段】
【０００５】
上記問題点を解決するために、ユーザーによって特定され撮像処理の際に用いられる所定の撮像処理条件と、少なくとも前記所定の撮像処理条件を表示する第一液晶表示部と、前記第一液晶表示部とは異なる位置に配置された第二液晶表示部と、前記所定の撮像処理条件を変更する際に用いられる操作部と、前記操作部の操作に応じて前記所定の撮像処理条件を変更する制御部とを持つカメラにおいて、前記制御部は、前記第一液晶表示部に表示されている前記所定の撮像処理条件が前記第二液晶表示部に表示されていない状態で前記操作部が操作されると、前記所定の撮像処理条件を前記第二液晶表示部に表示する。
【発明の効果】
【０００６】
本発明によるカメラは、第一液晶表示部に表示されている撮像処理条件の内、ユーザーが変更する撮像処理条件を第一の液晶表示部とは異なる位置に配置された第二液晶表示部に表示するため、ユーザーが設定中の撮影処理条件の視認性が増し、優れた操作性を得ることができる。さらに第一液晶表示部とは異なる位置に配置された第二液晶表示部に撮像処理条件を表示することにより撮像処理条件を視認する際にカメラ本体を保持する姿勢の自由度が増す。
【発明を実施するための最良の形態】
【０００７】
以下本発明をレンズ交換式一眼レフデジタルカメラに適用した例を示す。
＜第一の実施例＞
以下第一の実施例におけるレンズ交換式一眼レフデジタルカメラについて説明する。
【０００８】
＜構成＞
図１に本発明を適用したカメラの背面図、図２にカメラの上面図を示す。カメラボディー２０には、背面に背面液晶２１、ファインダ２２、モニタ釦２３、メニュー釦２４、露出補正釦２５、十字キー２６、AFモード切替えスイッチ２７、第一回転ダイアル２８が設けられ、前面に第二回転ダイアル２９が設けられ、上面に上面液晶３０、レリーズ釦３１、露出モードダイアル３２が設けられている。
【０００９】
背面液晶２１は、撮像済み画像や、メニュー画面、撮像処理条件等が表示される液晶表示部である。ファインダ２２は、不図示の接眼レンズ、ペンタプリズム、スクリーン及び液晶表示部からなり、撮像レンズを通りクイックリターンミラーで反射した被写体像がスクリーンに投影され、スクリーンに投影された被写体像およびスクリーンに隣接して配置された透過型液晶パネル等の表示がペンタプリズム、接眼レンズを通してファインダ接眼窓から確認できる。なおファインダの液晶表示部には撮像処理条件等が表示される。上面液晶３０は、撮像処理条件等が表示される液晶表示部である。ここで撮像処理条件とは、ユーザーが設定可能な焦点検出領域（以下ＡＦエリアとする）や、シャッター速度値、絞り値、露出補正値、ホワイトバランス設定等の撮像動作及び撮像画像の処理でカメラが使用する処理条件である。また、背面液晶２１は、ファインダ液晶表示部２２や上面液晶３０に対し表示面積が広く、さらに背面液晶２１と上面液晶３０の表示面は、ほぼ９０度になるように配置されている。なお、背面液晶２１の表示面が所定の可動範囲内で任意の方向に向くように回転軸を中心に設置しても良い。モニタ釦２３、メニュー釦２４は、露出補正釦２５はモメンタリスイッチである。十字キー２６は、上下左右の４方向に電気接点を持つスイッチで、主に背面液晶２１や上面液晶３０、接眼ファインダ２２内の液晶表示部等に表示された撮像処理条件等の変更操作や、背面液晶２１に表示されたメニュー項目及び撮像済み画像の変更操作等に用いられる。AFモード切替えスイッチ２７は、ＡＦエリアの選択を手動で行うAFエリア手動選択モードとAFエリアの選択を自動で行うAFエリア自動選択モードとを切替える。第一回転ダイアル２８、第二回転ダイアル２９は回転式ダイアルスイッチである。レリーズ釦３１は、２つのスイッチからなり半押状態で第一レリーズスイッチがＯＮされ、全押状態で第二レリーズスイッチがＯＮされる。露出モードダイアル３２は回転式ダイアルスイッチである。
【００１０】
図３に本発明を適用したカメラのブロック図を示す。
制御部１１には、撮像部１０、背面液晶２１、上面液晶３０、ファインダ（液晶表示部）２２、ＥＥＰＲＯＭ１２、ＲＯＭ１３、ＲＡＭ１４、記録媒体１５、モニタ釦２３、メニュー釦２４、露出補正釦２５、十字キー２６、AFモード切替えスイッチ２７、第一ダイアル２８、第二ダイアル２９、レリーズ釦３１、露出モードダイアル３２が接続されている。撮像部１０は、撮像素子、Ａ/Ｄ変換器、画像処理回路等を含み、撮像素子に入射した被写体像を光電変換し、種々の処理を行いデジタル画像データに変換し、該画像データを記録媒体１５へ記録する。ＥＥＰＲＯＭ１２は、カメラの電源がＯＦＦされても記録情報を保持するフラッシュメモリであり、カメラのユーザー設定、カスタム設定等の情報を記録する。ＲＯＭ１３は、カメラ作動に必要なプログラム、該プログラムに使用する初期値等が保存されている。ＲＡＭ１４は、制御部１１、撮像部１０が処理を行う際にデータの一時的な保存場所などに利用される。記録媒体１５は、上記画像データ等を保存するためのメモリーカードである。
＜カメラのメイン処理＞
本実施例におけるカメラは、ユーザーが設定した撮像処理条件により撮像動作及び撮像画像の処理を行う撮影モード、背面液晶２１に表示されたメニュー画面を見ながら各種機能の設定を行うメニューモード、背面液晶２１に撮影済みの画像を表示させる画像表示モード等の動作モードを持ち、本実施例では前記３つの動作モードを例にとりカメラの処理について説明する。カメラの電源ＯＮ時に行われる初期処理によりカメラは撮影モードに設定される。
【００１１】
メニューモードへの変更はメニュー釦２４の押圧操作により変更され、画像表示モードへの変更はモニタ釦２３の押圧操作により変更される。
＜メインフロー＞
図４に本実施例のカメラのメインフローを示す。
【００１２】
まず、電源を入れると、ステップ１０１で各種設定値の読み出しやオペレーションシステム、処理回路、液晶表示部等の起動処理が行われる。ステップ１０２で上面液晶３０、ファインダ液晶表示部２２をＯＮし、それぞれに撮像処理条件を表示する。
【００１３】
ステップ１０３では、電源ＯＦＦ操作が行われたか否かの判定が行われる。電源ＯＦＦ操作が行われた場合はステップ１０４へ移り、電源ＯＦＦ操作が行われていない場合はステップ１０５へ移る。ステップ１０４では、オペレーションシステムや処理回路、液晶表示部等の終了処理を行い電源を切断する。ステップ１０５では、現在の動作モードが撮影モードであるか否かの判定を行う。現在の動作モードが撮影モードである場合はステップ１０７へ移り撮影モードサブルーチンで撮影処理が行われ、現在の動作モードが撮影モードで無い場合はステップ１０６へ移る。ステップ１０６では、現在の動作モードがメニューモードであるか否かの判定を行う。現在の動作モードがメニューモードである場合はステップ１０８へ移りメニュー処理が行われ、現在の動作モードがメニューモードで無い場合はステップ１０９へ移り画像表示処理が行われる。各モードでの処理が終了すると、ステップ１０３に戻る。
＜撮影モード＞
撮影モードについて説明する。撮影モードでユーザーが行う撮像処理条件の設定操作の例としてAFエリア、シャッター速度値、絞り値、露出補正値の設定操作について説明する。図２に示すように上面液晶３０には、撮像時の撮像処理条件であるＡＦエリア表示３０ａ、シャッター速度表示３０ｂ、絞り値表示３０ｃ、露出補正値表示３０ｄが表示されている。ユーザーは上面液晶３０で撮像処理条件を確認し、撮像処理条件の変更を行う。なお、撮影モード移行時には、ファインダ液晶表示部、上面液晶３０には撮像処理条件が表示されているが、背面液晶２１の表示はＯＦＦされた状態にある。
【００１４】
露出モードダイアル３２を所定の位置に回転させることにより露出モードを、シャッター優先モード、絞り優先モード、マニュアルモードのいずれかに設定することができる。これらのモードについてはすでに周知であるので特に説明しない。
【００１５】
また、本実施例におけるカメラはスリープタイマーとして、操作部材を操作せずに所定時間経過すると背面液晶２１、ファインダ液晶表示部２２、上面液晶３０をＯＦＦする第一タイマー処理と、背面液晶２１に撮像処理条件の表示を開始してから操作部材が操作されずに所定時間経過すると背面液晶２１の撮像処置条件の表示をＯＦＦする第二タイマー処理とを有する。なお、第一タイマー処理、第二タイマー処理での所定時間はユーザーにより個々に設定可能である。もし第二タイマーの所定時間より第一タイマーの所定時間が短く設定されている場合は、第一タイマーが優先され第一タイマーの所定時間が経過した際に背面液晶２１、ファインダ液晶部２２、上面液晶３０の表示がＯＦＦされる。
＜ＡＦエリア設定＞
カメラがＡＦエリア自動選択モードにセットされている場合は、レリーズ釦の半押操作（上記第一レリーズスイッチＯＮ）に応じて全てのＡＦエリアで測距して、被写体との距離が最も近いＡＦエリアを用いて焦点検出を行う。また、AFモードがAFエリア自動選択モードにセットされている場合に、十字キー２６が押圧操作されると、それまで背面液晶２１にＡＦエリア表示が表示されていなくとも、ファインダ液晶表示部２２、上面液晶３０とは別に背面液晶２１にAFモードがAFエリア自動選択モードであることを表すAFエリア自動選択表示を表示する。図５(ａ)に背面液晶２１に表示されるAFエリア自動選択表示を示す。
【００１６】
カメラがＡＦエリア手動選択モードにセットされている場合は、レリーズ釦の半押操作（上記第一レリーズスイッチＯＮ）に応じて、現在選択されている焦点検出に用いられるＡＦエリアで測距して焦点検出を行う。また、AFモードがAFエリア手動選択モードにセットされている場合に、十字キー２６を上下左右のいずれかの方向に押圧操作されると、それまで背面液晶２１にＡＦエリア表示が表示されていなくとも、ファインダ液晶表示部２２、上面液晶３０とは別に背面液晶２１に、十字キー２６の操作に従って焦点検出に用いるＡＦエリアが変更されたＡＦエリア手動選択表示が表示される。図５(ｂ)に背面液晶２１に表示されるAFモード手動選択表示を示す。AFエリア手動選択モードの際にユーザーが使用可能なAFエリアは１ａ〜１ｅの５点存在する。焦点検出のために使用されるAFエリアは、焦点検出に用いないAFエリアに対して色を変えることによりユーザーが認識可能なように表示される。具体的には焦点検出に用いるAFエリア（図５(ｂ)では１ｃ）は赤色で表示され、その他のAFエリア（図５(ｂ)では１ａ、１ｂ、１ｄ、１ｅ）は黒色で表示されている。ユーザーは十字キー２６を上下左右のいずれかの方向に押圧操作することにより、焦点検出に用いるAFエリアを変更することができ、５点のAFエリアの中から所望のAFエリアを選択可能である。例えばAFエリア１ｃが焦点検出に用いるAFエリアに選択されている際に、十字キー２６を右に押圧操作するとそれまで焦点検出用に選択されていたAFエリア１ｃは赤色表示から黒色に変わり、新たに焦点検出用に選択されたAFエリア１ｄが黒色表示から赤色に切り換わる。
＜シャッター速度設定＞
露出モードがシャッター優先又はマニュアルモードの際にユーザーが第一回転ダイアル２８をいずれかの方向に回転操作させると、シャッター速度値が変更される。露出モードがシャッター優先又はマニュアルモードの際に第一回転ダイアル２８が回転操作されると、それまで背面液晶２１にシャッター速度値が表示されていなくとも、ファインダ液晶表示部２２、上面液晶３０とは別に背面液晶２１に第一回転ダイアル２８の回転操作に従い変更されたシャッター速度値が表示される。図５(c)に背面液晶２１に表示されるシャッター速度値表示を示す。ユーザーは背面液晶２１によりシャッター速度値を確認しながら第一回転ダイアル２８をいずれかの方向へ回転させ撮像時に使用するシャッター速度値の変更ができる。
＜絞り値設定＞
露出モードが絞り優先又はマニュアルモードの際にユーザーが第二回転ダイアル２９をいずれかの方向に回転操作することにより、絞り値が変更される。露出モードが絞り優先又はマニュアルモードの際に第二回転ダイアル２９が回転操作されると、それまで背面液晶２１に絞り値が表示されていなくとも、ファインダ液晶表示部２２、上面液晶３０とは別に背面液晶２１に第二回転ダイアル２９の回転操作に従い変更された絞り値が表示される。図５(d)に背面液晶２１に表示される絞り値表示を示す。ユーザーは背面液晶２１により絞り値を確認しながら第二回転ダイアル２９をいずれかの方向へ回転させ撮像時に使用する絞り値の変更ができる。
＜露出補正設定＞
マニュアルモード以外の露出モードでは、ユーザーが露出補正釦２５を押圧操作しながら第一回転ダイアル２８をいずれかの方向に回転操作することにより、露出補正値が変更される。露出モードがマニュアルモードの際に露出補正釦２５が押圧操作された状態で第一回転ダイアル２８が操作されると、それまで背面液晶２１に露出補正値が表示されていなくとも、ファインダ液晶表示部２２、上面液晶３０とは別に背面液晶２１に第一回転ダイアルの回転操作に従い変更された露出補正値が表示される。図５(e)に背面液晶２１に表示される露出補正値表示を示す。露出補正値は０（露出補正無し）を中心に符号付きの数値で表示され、ユーザーは背面液晶２１により露出補正値を確認しながら第一回転ダイアル２８をいずれかの方向へ回転させ撮像時に使用する露出補正値の変更ができる。
＜撮影モードのフロー＞
電源がＯＮされ初期処理が終了し、ファインダ液晶部２２、上面液晶３０に撮像処理条件表示が表示されると撮影モードへ移行する。図６、図７に撮影モードサブルーチンのフローを、図８にタイマー処理サブルーチンのフロー示す。
【００１７】
まず、ステップ２００では、第一タイマーをゼロにセットし計時を開始し、第二タイマーをＯＦＦする。次にステップ２０１でタイマー処理サブルーチンに移る。
タイマ―処理サブルーチンでは、まずステップ３００で第一タイマーをゼロにセットし計時を開始しステップ３０１へ移る。
【００１８】
ステップ３０１では第二タイマーが計時中か否かの判定を行う。第二タイマーが計時中である場合はステップ３０２へ移り、第二タイマーが計時中で無い場合はステップ３０４へ移る。ステップ３０２では第二タイマーが計時を開始してから所定時間経過したか否かの判定を行う。第二タイマーが計時を開始してから所定時間経過している場合はステップ３０３へ移り、第二タイマーが計時を開始してから所定時間経過していない場合はステップ３０４へ移る。ステップ３０３では背面液晶２１に表示されている撮像処理条件表示を非表示にし第二タイマーをＯＦＦしてステップ３０４へ移る。
【００１９】
ステップ３０４では操作部材が操作されたか否かの判定を行う。操作部材が操作された場合はステップ３０８へ移り、操作部材が操作されていない場合はステップ３０５へ移る。
【００２０】
ステップ３０５では、第一タイマーが計時中か否かの判定を行う。第一タイマーが計時中である場合はステップ３０６へ移り、第一タイマーが計時中で無い場合はステップ３０１へ戻る。ステップ３０６では第一タイマーが計時を開始してから所定時間経過したか否かの判定を行う。第一タイマーが計時を開始してから所定時間経過している場合はステップ３０７へ移り、第一タイマーが計時を開始してから所定時間経過していない場合はステップ３０１へ戻る。ステップ３０７では背面液晶２１、ファインダ液晶表示部２２、上面液晶３０の表示をＯＦＦし、第一、第二タイマーをＯＦＦしてステップ３０１へ戻る。
【００２１】
ステップ３０８では、ファインダ液晶表示部２２、上面液晶３０の表示がＯＦＦされている場合は、表示をＯＮして撮像処理条件を表示させタイマー処理サブルーチンを終了する。タイマー処理サブルーチンが終了すると、ステップ２０２へ移る。
【００２２】
ステップ２０２ではレリーズ釦３１が半押操作されたか否かの判定が行われる。  レリーズ釦３１が半押操作された場合はステップ２０３へ移り、半押操作されていない場合はステップ２０７へ移る。
【００２３】
ステップ２０３では背面液晶に撮像処理条件が表示されている場合はその撮像処理条件の表示をＯＦＦし、また第二タイマーが計時を行っている場合は第二タイマー計時を中止する。ステップ２０４では、AFモードがAFエリア自動選択モードである場合は５つあるAFエリアの中で被写体との距離が最も近いAFエリアで合焦処理等の準備を行い、AFエリア手動選択モードである場合は設定されている焦点検出に用いられるＡＦエリアでの合焦処理等の準備を行う。次にステップ２０５でレリーズ釦が全押操作されたか否かの判定を行い、全押操作された場合はステップ２０６へ移り、全押操作されていない場合はステップ２０２へ戻る。ステップ２０６では設定された撮像処理条件に従い撮像及び撮像画像の処理等を行い、ステップ２２６へ移る。
【００２４】
ステップ２０７では、十字キー２６の押圧操作があるか否かの判定を行う。十字キー２６が押圧操作された場合はステップ２１０へ移り、十字キー２６が押圧操作されていない場合はステップ２０８へ移る。
【００２５】
ステップ２１０では、AFモードがAFエリア手動選択モードか否かの判定を行う。AFモードがAFエリア手動選択モードで無い、つまりAFエリア自動選択モードである場合はステップ２１１へ移り、AFモードがAFエリア手動選択モードである場合はステップ２１２へ移る。ステップ２１１では、背面液晶２１にAFエリア自動選択表示が表示され、ステップ２２５へ移る。なお、背面液晶２１に表示されるAFエリア自動選択表示は上面液晶３０に表示されているAFエリア自動選択表示よりも大きく表示される。ステップ２１２では、十字キー２６の押圧操作に従い焦点検出に用いるＡＦエリアを変更し、ステップ２１３で背面液晶２１にＡＦエリア手動選択表示が表示され、ステップ２２５へ移る。ステップ２２５では、第二タイマーをゼロにセットし計時を開始しステップ２２６へ移る。
【００２６】
ステップ２０８では、第一回転ダイアル２８の回転操作があるか否かの判定を行う。第一回転ダイアル２８が回転操作された場合はステップ２１４へ移り、第一回転ダイアル２８が回転操作されていない場合はステップ２０９へ移る。
【００２７】
ステップ２１４では、露出モードが絞り優先モード否かの判定を行う。露出モードが絞り優先モードである場合はステップ２２６へ移り、露出モードが絞り優先モードで無い場合はステップ２１５へ移る。ステップ２１５では、第一回転ダイアル２８の回転操作に従い撮像処理に用いるシャッター速度値を変更し、ステップ２１６で背面液晶２１にシャッター速度値表示が表示され、ステップ２２５へ移る。なお、背面液晶２１に表示されるシャッター速度値表示は上面液晶３０に表示されているシャッター速度値表示よりも大きく表示される。次にステップ２２５で第二タイマーをゼロにセットし計時を開始しステップ２２６へ移る。
【００２８】
ステップ２０９では、第二回転ダイアル２９の回転操作があるか否かの判定を行う。第二回転ダイアル２９が回転操作された場合はステップ２１７へ移り、第二回転ダイアル２９が回転操作されていない場合はステップ２２０へ移る。
【００２９】
ステップ２１７では、露出モードがシャッター優先モードか否かの判定を行う。露出モードがシャッター優先モードである場合はステップ２２６へ移り、露出モードがシャッター優先モードで無い場合はステップ２１８へ移る。ステップ２１８では、第二回転ダイアル２９の回転操作に従い撮像処理に用いる絞り値を変更し、ステップ２１９で背面液晶２１に絞り値表示が表示され、ステップ２２５へ移る。なお、背面液晶２１に表示される絞り値表示は上面液晶３０に表示されている絞り値表示よりも大きく表示される。次にステップ２２５で第二タイマーをゼロにセットし計時を開始しステップ２２６へ移る。
【００３０】
ステップ２２０では露出補正釦２５の押圧操作があるか否かの判定を行う。露出補正釦２５が押圧操作された場合はステップ２２１へ移り、露出補正釦２５が押圧操作されていない場合はステップ２２６へ移る。
【００３１】
ステップ２２１では、露出モードがマニュアルモードであるか否かの判定を行う。露出モードがマニュアルモードである場合はステップ２２６へ移り、露出モードがマニュアルモードでない場合はステップ２２２へ移る。ステップ２２２では第一回転ダイアル２８が回転操作されたか否かの判定を行う。第一回転ダイアル２８が回転操作された場合はステップ２２３へ移り、第一回転ダイアル２８が回転操作されていない場合はステップ２２６に移る。
【００３２】
ステップ２２３では、第一回転ダイアル２８の回転操作に従い撮像処理に用いる露出補正値を変更し、ステップ２２４で背面液晶２１に露出補正値表示が表示され、ステップ２２５へ移る。なお、背面液晶２１に表示される露出補正値表示は上面液晶３０に表示されている露出補正値表示よりも大きく表示される。次にステップ２２５で第二タイマーをゼロにセットし計時を開始しステップ２２６へ移る。
【００３３】
ステップ２２６では電源ＯＦＦ操作が行われたか否かの判定を行う。電源ＯＦＦ操作が行われた場合は撮影モードサブルーチンを終了し、電源操作が行われていない場合は、ステップ２２７へ移る。ステップ２２７では動作モードが撮影モードから変更されたか否かの判定を行う。動作モードが撮影モードのままである場合はステップ２０１へ戻り、動作モードが撮影モード以外に変更された場合はステップ２２８へ移る。ステップ２２８では、背面液晶に撮像処理条件が表示されている場合はその撮像処理条件の表示をＯＦＦし、また第一、第二タイマーが計時を行っている場合は第一、第二タイマーの計時を中止して撮影モードサブルーチンを終了する。
【００３４】
撮影モードサブルーチンが終了すると図４に示したメインフローのステップ１０３へ戻る。
上述した様に、背面液晶２１に撮像処理条件が表示された際（ステップ２１３、ステップ２１６、ステップ２１９、ステップ２２４）に上面液晶３０、及びファインダ液晶表示部２２に表示されている撮像処理条件の表示は継続される。つまり、撮像処理条件が表示面の角度の異なる背面液晶２１と上面液晶３０の両方に表示されるため、ユーザーが撮像処理条件を視認する際にカメラ本体を保持する姿勢の自由度が増す。
＜メニューモード＞
メニューモードでは、任意の機能を選択するために背面液晶２１に表示されたメニュー項目の選択および決定操作が行われる。図９(ａ)にメニューモードが起動された時に背面液晶２１に表示されるメニュー表示を示す。メニューは再生メニュー、撮影メニュー、カスタムメニュー、セットアップメニューの４つの項目にわけられている。各メニュー項目はそれぞれ階層構造を持ちユーザーはメニュー項目の選択および決定操作を行うことにより設定する機能を選択し、その設定を変更できる。
【００３５】
カメラがメニューモード以外の動作モードにある際にメニュー釦２４が押圧操作されると動作モードがメニューモードへ移行する。
メニューモード処理に入ると、まず背面液晶２１にメニュー項目を表示する。ユーザーは背面液晶２１を参照しながら十字キー２６等の操作釦を用いて背面液晶２１に表示されているメニュー項目の選択および決定を行うことによりカメラの各種機能の設定を変更する。
【００３６】
メニューモード処理中に再度メニュー釦２４が押圧操作される、あるいはレリーズ釦３１が半押操作（上記第一レリーズスイッチＯＮ）されると動作モードが撮影モードに変更される。メニューモード処理中に動作モードがメニューモード以外の動作モードに変更されると、背面液晶２１に表示していたメニュー画面を非表示にしてメニューモード処理を終了する。
【００３７】
メニューモード処理が終了すると図４に示したメインフローのステップ１０３へ戻る。
＜画像表示モード＞
画像表示モードでは、記録媒体１５に記録された撮像済み画像データを背面液晶２１に表示する。
【００３８】
図９(ｂ)に背面液晶２１に表示される撮像済み画像データの表示例を示す。ユーザーは十字キー２６を操作することにより表示されている画像を変更することができる。
画像表示モード処理に入ると、背面液晶２１に撮像済み画像を表示する。ユーザーは背面液晶２１を参照しながら十字キー２６等の操作釦を用いて背面液晶２１に表示されている撮像済み画像の変更および選択を行う。
【００３９】
画像表示モード処理中に、再度モニタ釦２３が押圧操作される、あるいはレリーズ釦３１が半押操作（上記第一レリーズスイッチＯＮ）されると動作モードが撮影モードに変更される。画像表示モード処理中に動作モードが画像表示モード以外の動作モードに変更されると、背面液晶２１に表示していたメニュー画面を非表示にして画像表示モードを終了する。
【００４０】
画像撮影モードが終了すると図４に示したメインフローのステップ１０３へ戻る。
＜第二の実施例＞
以下第二の実施例におけるレンズ交換式一眼レフデジタルカメラについて説明する。
【００４１】
第二の実施例におけるカメラの処理は第一の実施例におけるカメラの処理とほぼ同様であるが、第一の実施例と異なる撮影モードついて説明する。
第一の実施例と異なる点は、撮像処理条件を変更するために操作部材を操作すると、それまで背面液晶２１に該撮像処理条件が表示されていなくとも、ファインダ液晶表示部２２、上面液晶３０とは別に背面液晶２１に現在設定されている撮像処理条件が表示される点である。背面液晶２１に撮像処理条件が表示されている際に、該撮像処理条件を変更するための操作部材を操作すると該操作部材の操作に応じて変更された該撮像処理条が背面液晶２１に表示される。例えば、背面液晶２１にシャッター速度値が表示されていない際に、シャッター速度値を変更するために第一ダイアル２９を操作すると、ファインダ液晶表示部２２、上面液晶３０とは別に背面液晶２１に現在設定されているシャッター速度値が表示される。引き続き第一ダイアル２９を操作すると該第一ダイアル２９の操作に応じてシャッター速度値が変更されて背面液晶２１に表示される。後述する撮影モードのフローでは、上記処理をflagによる判定により行っている。
【００４２】
その他第一の実施例と異なる点は、ＡＦモードがＡＦエリア自動選択モード時に十字キー２６が押圧操作されると、ＡＦモードが手動選択モードに変更される点である。
＜撮影モードのフロー＞
電源がＯＮされ初期処理が終了しファインダ液晶表示部２２、上面液晶３０に撮像処理条件表示が表示されると撮影モードへ移行する。図１０、図１１に撮影モードサブルーチンのフローを、図１２にタイマー処理サブルーチンのフローを示す。
【００４３】
まず、ステップ４００で、第一タイマーをゼロにセットし計時を開始し、第二タイマーのＯＦＦし、flagA、flagS、flagAｐ、flagEにそれぞれ０を入力する。次にステップ４０１でタイマー処理サブルーチンに移る。
【００４４】
タイマ―処理サブルーチンでは、まずステップ５００で第一タイマーをゼロにセットし計時を開始しステップ５０１へ移る。
ステップ５０１では第二タイマーが計時中か否かの判定を行う。第二タイマーが計時中である場合はステップ５０２へ移り、第二タイマーが計時中で無い場合はステップ５０５へ移る。ステップ５０２では第二タイマーが計時を開始してから所定時間経過したか否かの判定を行う。第二タイマーが計時を開始してから所定時間経過している場合はステップ５０３へ移り、第二タイマーが計時を開始してから所定時間経過していない場合はステップ５０５へ移る。５０３では、flagA、flagS、flagAｐ、flagEにそれぞれ０を入力し、ステップ５０４で、背面液晶２１に表示されている撮像処理条件表示を非表示にし第二タイマー計時を中止しステップ５０５へ移る。
【００４５】
ステップ５０５では操作部材が操作されたか否かの判定を行う。操作部材が操作された場合はステップ５１０へ移り、操作部材が操作されていない場合はステップ５０６へ移る。
【００４６】
ステップ５０６では、第一タイマーが計時中か否かの判定を行う。第一タイマーが計時中である場合はステップ５０７へ移り、第一タイマーが計時中で無い場合はステップ５０１へ戻る。ステップ５０７では第一タイマーが計時を開始してから所定時間経過したか否かの判定を行う。第一タイマーが計時を開始してから所定時間経過している場合はステップ５０８へ移り、第一タイマーが計時を開始してから所定時間経過していない場合はステップ５０１へ戻る。ステップ５０８では、flagA、flagS、flagAｐ、flagEにそれぞれ０を入力し、ステップ５０９で背面液晶２１、ファインダ液晶表示部２２、上面液晶３０の表示をＯＦＦし、第一、第二タイマーの計時を中止しステップ５０１へ戻る。
【００４７】
ステップ５１０では、ファインダ液晶表示部２２、上面液晶３０の表示がＯＦＦされている場合は、表示をＯＮして撮像処理条件を表示させタイマー処理サブルーチンを終了する。タイマー処理サブルーチンが終了すると、ステップ４０２へ移る。
【００４８】
ステップ４０２ではレリーズ釦３１が半押操作されたか否かの判定が行われる。レリーズ釦３１が半押操作された場合はステップ４０３へ移り、半押操作されていない場合はステップ４０２へ移る。
【００４９】
ステップ４０３ではflagA、flagS、flagAｐ、flagEにそれぞれ０を入力し、ステップ４０４で背面液晶に撮像処理条件が表示されている場合はその撮像処理条件の表示をＯＦＦし、また第二タイマーが計時を行っている場合は第二タイマーの計時を中止する。ステップ４０５では、AFモードがAFエリア自動選択モードである場合は５つあるAFエリアの中で被写体との距離が最も近いAFエリアで合焦処理等の準備を行い、AFエリア手動選択モードである場合は設定されている焦点検出に用いられるＡＦエリアでの合焦処理等の準備を行う。次にステップ４０６でレリーズ釦が全押操作されたか否かの判定を行い、全押操作された場合はステップ４０７へ移り、全押操作されていない場合はステップ４０２へ戻る。ステップ４０７では設定された撮像処理条件に従い撮像及び撮像画像の処理等を行い、ステップ４３４へ移る。
【００５０】
ステップ４０８では、十字キー２６の押圧操作があるか否かの判定を行う。十字キー２６が押圧操作された場合はステップ４１１へ移り、十字キー２６が押圧操作されていない場合はステップ４０９へ移る。
【００５１】
ステップ４１１では、AFモードがAFエリア自動選択モードである場合は、AFモードがAFエリア手動選択モードへ変更される。ステップ４１２では、flagAの値に１を足して、flagS、flagAｐ 、flagEにそれぞれ０を入力する。ステップ４１３ではflagAの値が１より大きいか否かの判定を行い、flagAの値が１以下の場合はステップ４１５へ移り、flagAの値が１より大きい場合はステップ４１４へ移る。ステップ４１４では、十字キー２６の押圧操作に従い焦点検出に用いるＡＦエリアを変更する。ステップ４１５では、背面液晶２１にＡＦエリア手動選択表示を表示しステップ４３３へ移る。ステップ４３３で第二タイマーをゼロにセットし計時を開始しステップ４３４へ移る。
【００５２】
ステップ４０９では、第一回転ダイアル２８の回転操作があるか否かの判定を行う。第一回転ダイアル２８が回転操作された場合はステップ４１６へ移り、第一回転ダイアル２８が回転操作されていない場合はステップ４１０へ移る。
【００５３】
ステップ４１６では、露出モードが絞り優先モードか否かの判定を行う。露出モードが絞り優先モードである場合はステップ４３４へ移り、露出モードが絞り優先モードで無い場合はステップ４１７へ移る。ステップ４１７では、flagSの値に１を足して、flagA、flagAｐ、flagEにそれぞれ０を入力する。ステップ４１８ではflagSの値が１より大きいか否かの判定を行い、flagSの値が１以下の場合はステップ４２０へ移り、flagSの値が１より大きい場合はステップ４１９へ移る。ステップ４１９では、第一回転ダイアル２８の回転操作に従い撮像処理に用いるシャッター速度値を変更する。ステップ４２０では、背面液晶２１にシャッター速度値表示を表示しステップ４３３へ移る。ステップ４３３では、第二タイマーをゼロにセットし計時を開始しステップ４３４へ移る。
【００５４】
ステップ４１０では、第二回転ダイアル２９の回転操作があるか否かの判定を行う。第二回転ダイアル２９が回転操作された場合はステップ４２１へ移り、第二回転ダイアル２９が回転操作されていない場合はステップ４２６へ移る。
【００５５】
ステップ４２１では、露出モードがシャッター優先モードか否かの判定を行う。露出モードがシャッター優先モードである場合はステップ４３４へ移り、露出モードがシャッター優先モードで無い場合はステップ４２２へ移る。ステップ４２２では、flagApの値に１を足して、flagA、flagS、flagEにそれぞれ０を入力する。ステップ４２３ではflagApの値が１より大きいか否かの判定を行い、flagApの値が１以下の場合はステップ４２５へ移り、flagApの値が１より大きい場合はステップ４２４へ移る。ステップ４２４では、第二回転ダイアル２９の回転操作に従い撮像処理に用いる絞り値を変更する。ステップ４２５では、背面液晶２１に絞り値表示を表示しステップ４３３へ移る。ステップ４３３では、第二タイマーをゼロにセットし計時を開始しステップ４３４へ移る。
【００５６】
ステップ４２６では露出補正釦２５の押圧操作があるか否かの判定を行う。露出補正釦２５が押圧操作された場合はステップ４２７へ移り、露出補正釦２５が押圧操作されていない場合はステップ４３４へ移る。
【００５７】
ステップ４２７では、露出モードがマニュアルモードか否かの判定を行う。露出モードがマニュアルモードである場合はステップ４３４へ移り、露出モードがマニュアルモードでない場合はステップ４２８へ移る。ステップ４２８では第一回転ダイアル２８が回転操作されたか否かの判定を行う。第一回転ダイアル２８が回転操作された場合はステップ４２９へ移り、第一回転ダイアル２８が回転操作されていない場合はステップ４３４に移る。ステップ４２９では、flagEの値に１を足して、flagA、flagAｐ、flagSにそれぞれ０を入力する。ステップ４３０ではflagEの値が１より大きいか否かの判定を行い、flagEの値が１以下の場合はステップ４３２へ移り、flagEの値が１より大きい場合はステップ４３１へ移る。ステップ４３１では、第一回転ダイアル２８の回転操作に従い撮像処理に用いる露出補正値を変更する。ステップ４３２では背面液晶２１に露出補正値表示を表示すしステップ４３３へ移る。ステップ４３３では第二タイマーをゼロにセットし計時を開始しステップ４３４へ移る。
【００５８】
ステップ４３４では、電源ＯＦＦ操作が行われたか否かの判定を行う。電源ＯＦＦ操作が行われた場合は撮影モードサブルーチンを終了し、電源ＯＦＦ操作が行われていない場合はステップ４３５へ移る。ステップ４３５では動作モードが撮影モードから変更されたか否かの判定を行う。動作モードが撮影モードのままである場合はステップ４０１へ戻り、動作モードが撮影モード以外に変更された場合はステップ４３６へ移る。ステップ４３６では、背面液晶に撮像処理条件が表示されている場合はその撮像処理条件の表示をＯＦＦし、また第一、第二タイマーが計時を行っている場合は第一、第二タイマーの計時を中止し撮影モードサブルーチンを終了する。
【００５９】
撮影モードサブルーチンが終了すると図４に示したメインフローのステップ１０３へ戻る。
上述の様に、背面液晶２１に表示されていない撮像処理条件を変更するために操作部材を操作するとflagは１となるがステップ４１３、ステップ４１８、ステップ４２３、ステップ４３０のflag判定により否定され、ステップ４１４、ステップ４１９、ステップ４２４、ステップ４３１の撮像処理条件の変更処理は行われず、操作された操作部材に対応した撮像処理条件の現在の設定条件が表示される。さらに操作部材を操作すると前記flagは２となり肯定され、ステップ４１４、ステップ４１９、ステップ４２４、ステップ４３１で撮像処理条件の変更が行われ、変更済みの撮像処理条件が表示される。
【００６０】
また、背面液晶２１に撮像処理条件が表示された際（ステップ４１５、ステップ４２０、ステップ４２５、ステップ４３２）に上面液晶３０、及びファインダ液晶表示部２２に表示されている撮像処理条件の表示は継続される。
【００６１】
なお、背面液晶２１に撮像処理条件が表示された際（ステップ４１５、ステップ４２０、ステップ４２５、ステップ４３２）に上面液晶３０、及びファインダ液晶表示部２２に表示されている撮像処理条件を非表示にしても良い。その場合、上面液晶３０に表示されている撮像処理条件が、上面液晶３０より表示面の広い背面液晶２１に表示されることにより、ユーザーによる撮影処理条件の視認性が増し、優れた操作性を得ることができる。
＜実施例の変形例＞
以上のとおり本発明を適用した実施例について説明してきたが、本発明はこれらの実施例に限られるものではない。以下に変形例を示す。
【００６２】
上述では各撮像処理条件を変更するための操作部材として、十字キー２６、第一回転ダイアル２８、第二回転ダイアル２９、あるいは露出補正釦２５と第一回転ダイアル２８を組み合わせて用いたが、各撮像処理条件を変更するための操作部材はこれらに限るものではなく、どのような操作部材をどの撮像処理条件の変更に用いても良い。例えば撮像処理条件を変更するための操作部材として、モメンタリスイッチを単独で用いたり、複数の操作部を組み合わせて用いても良い。
【００６３】
なお、上述では上面液晶３０に表示されているカメラが用いる撮像処理条件としてＡＦエリア、シャッター速度値、絞り値、露出補正値を取り上げ説明したが、撮像処理条件は上記のものに限るものではない。例えば撮像処理条件としてＡＦモードの設定、ホワイトバランス設定、ＩＳＯ設定、ブラケティング撮影設定、記録画像データの解像度又は圧縮率の設定等でも良い。
【００６４】
また、上述ではカメラのファインダとして液晶表示部を備えた光学式ファインダを用いたがこれに限るものではない。例えば撮像部により光電変換した被写体画像を液晶表示部に表示する電子ビューファインダーであっても良い。
【００６５】
以上、本実施例を一眼レフデジタルカメラに適用した例について説明したが、本発明をレンズ一体型デジタルカメラや銀塩一眼レフカメラ、レンズ一体型銀塩カメラ、ビデオカメラ等の撮像機器に適用しても良い。
【図面の簡単な説明】
【００６６】
【図１】本発明を適用したカメラの背面図
【図２】本発明を適用したカメラの上面図
【図３】本発明を適用したカメラのブロック図
【図４】本発明を適用したカメラのメインフロー
【図５】背面液晶に表示される撮像処理条件の様子
【図６】第一の実施例におけるカメラの撮影モードのフロー  その１
【図７】第一の実施例におけるカメラの撮影モードのフロー  その２
【図８】第一の実施例におけるカメラのタイマー処理のフロー
【図９】背面液晶に表示されるメニューモード、画像表示モードの様子
【図１０】第二の実施例におけるカメラの撮影モードのフロー  その１
【図１１】第二の実施例におけるカメラの撮影モードのフロー  その２
【図１２】第二の実施例におけるカメラのタイマー処理のフロー
【符号の説明】
【００６７】
１ａ〜１ｅ  ＡＦエリア
１０  撮像部
１１  制御部
１２  ＥＥＰＲＯＭ
１３  ＲＯＭ
１４  ＲＡＭ
１５  記録媒体
２０  カメラボディー
２１  背面液晶
２２  ファインダ
２３  モニタ釦
２４  メニュー釦
２５  露出補正釦
２６  十字キー
２７  ＡＦモード切替えスイッチ
２８  第一回転ダイアル
２９  第二回転ダイアル
３０  上面液晶
３１  レリーズ釦
３２  露出モードダイアル
【図１】
2006018057.tif 000003
【図２】
2006018057.tif 000004
【図３】
2006018057.tif 000005
【図４】
2006018057.tif 000006
【図５】
2006018057.tif 000007
【図６】
2006018057.tif 000008
【図７】
2006018057.tif 000009
【図８】
2006018057.tif 000010
【図９】
2006018057.tif 000011
【図１０】
2006018057.tif 000012
【図１１】
2006018057.tif 000013
【図１２】
2006018057.tif 000014